(57)【要約】【課題】  ファンの大きさを小型に維持しながらも流入する熱風の風量や風速を増大し、且つ、熱風が死角地帯無しで回転ドラムの内部へ均一に供給されるようにして布との接触面積を増加させ、乾燥効率を向上させうる衣類乾燥機を提供すること。【解決手段】  回転ドラムと、回転ドラムに熱風を供給する吸気ダクトと、回転ドラムに設けられ、吸気ダクトと連通する空気流入部と、備え、空気流入部が回転ドラムの内部に突出するように設けられて熱風を放射状に供給することを特徴とする衣類乾燥機を提供する。【選択図】  図１
2005205179.tif 000002
【特許請求の範囲】
【請求項１】
回転ドラムと、該回転ドラムに熱風を供給する吸気ダクトと、前記回転ドラムに設けられ、前記吸気ダクトと連通する空気流入部と、を備える衣類乾燥機であって、
前記空気流入部が、熱風を放射状に回転ドラムへ迅速に供給するように構成されたことを特徴とする衣類乾燥機。
【請求項２】
前記空気流入部は、前記回転ドラムの内部に突出するドーム構造を有することを特徴とする請求項１に記載の衣類乾燥機。
【請求項３】
前記空気流入部は、前記ドーム構造に放射状に穿設された複数個の連通穴を有することを特徴とする請求項１に記載の衣類乾燥機。
【請求項４】
前記空気流入部は、前記吸気ダクトの直径と略同一の直径を有することを特徴とする請求項１に記載の衣類乾燥機。
【請求項５】
前記吸気ダクトの入口部には、この吸気ダクトに流入する空気を加熱するためのヒーターが取り付けられることを特徴とする請求項１に記載の衣類乾燥機。
【請求項６】
前記吸気ダクトに配置されるヒーターをさらに含むことを特徴とする請求項１に記載の衣類乾燥機。
【請求項７】
前記ヒーターは、電熱線または電熱線の包まれたセラミックのいずれかであることを特徴とする請求項６に記載の衣類乾燥機。
【請求項８】
前端及び後端を有する回転ドラムと、該回転ドラムに熱風を供給する吸気ダクトと、
前記回転ドラムで熱交換された熱風を排気する排気ダクトと、前記回転ドラムに設けられ、前記吸気ダクトと連通する空気流入部と、を備える衣類乾燥機であって、
前記空気流入部は、前記回転ドラムの後端に取り付けられた後面パネルにおいて回転ドラムの内部に突出してドーム構造に形成され、
前記排気ダクトは、入口部が前記回転ドラムの前端に取り付けられた前面パネルと連通するように設けられることを特徴とする衣類乾燥機。
【請求項９】
前記空気流入部は、前記ドーム構造に放射状に形成された複数個の連通穴を有することを特徴とする請求項８に記載の衣類乾燥機。
【請求項１０】
前記空気流入部は、前記吸気ダクトの直径とほぼ同一の直径を有することを特徴とする請求項８に記載の衣類乾燥機。
【請求項１１】
前記吸気ダクトの入口部には、この吸気ダクトに流入する空気を加熱するためのヒーターが取り付けられることを特徴とする請求項８に記載の衣類乾燥機。
【請求項１２】
前記ハウジングの底部に設けられ、前記排気ダクトと連通する排気ファンをさらに含むことを特徴とする請求項５に記載の衣類乾燥機。
【請求項１３】
前記空気流入部は、前記後面板と一体に形成されることを特徴とする請求項８に記載の衣類乾燥機。
【請求項１４】
前記空気流入部は、前記後面板の上部に配置されることを特徴とする請求項８に記載の衣類乾燥機。
【請求項１５】
前記排気ダクトは、前記後面板の下部に配置されることを特徴とする請求項８に記載の衣類乾燥機。
【請求項１６】
前記空気流入部と排気ダクトは、前記後面板及び前面板の対向する隅部にそれぞれ配置されることを特徴とする請求項８に記載の衣類乾燥機。
【請求項１７】
前記吸気ダクトの内部に設置されるヒーターをさらに含むことを特徴とする請求項８に記載の衣類乾燥機。
【請求項１８】
前記ヒーターは、電熱線及び電熱線で包まれたセラミックのいずれかであることを特徴とする請求項１７に記載の衣類乾燥機。
【請求項１９】
前記排気ダクトに配置されたファンをさらに含むことを特徴とする請求項８に記載の衣類乾燥機。
【請求項２０】
回転ドラムを使用する衣類乾燥機の空気流入部であって、
外部と連通して伝えられる空気をドラムの内部に供給する空気受容部と、
複数の連通穴が穿設された、回転ドラムの内部に突出形成される凸面を有する空気伝達部と、を備え、
前記受容部から流入した空気は、前記複数個の連通穴を通してドラムに放射状に伝えられることを特徴とする衣類乾燥機の空気流入部。
【請求項２１】
ドラムを使用する衣類乾燥機の衣類乾燥方法であって、
ドラムを回転し、
空気を加熱し、
この加熱された空気を前記ドラムに伝達し、
回転ドラムの内部に突出され、ドラム内に供給される熱風が通過する複数個の連通穴が放射状に形成された凸面を有する空気流入口を通して、ドラム内に前記加熱された空気を放射状に供給することを特徴とする衣類乾燥方法。
【発明の詳細な説明】
【技術分野】
【０００１】
本発明は、衣類乾燥機に関し、より詳細には、回転ドラムの後方に配置される空気流入部の構造を改善して乾燥性能を向上させた衣類乾燥機に関する。
【背景技術】
【０００２】
一般に、衣類乾燥機は、ハウジングの内部に水平に配置された回転ドラムが一方向に低速回転しつつこの回転ドラムを通過する熱風により洗濯物を乾かす装置のことをいう。
【０００３】
かかる衣類乾燥機は、乾燥する洗濯物が収容される回転ドラムと、回転ドラムに高温の空気を供給する吸気ダクトと、回転ドラムを通過した高温の空気を排気させる排気ダクトと、洗濯物を速かに乾かすために回転ドラムを回転させる駆動装置と、を備える。
【０００４】
吸気ダクトの内部にはヒーターが設置されてこの吸気ダクトの内部へ流入する空気を加熱させ、排気ダクトの内部には排気ファンが設置されて吸気ダクトから回転ドラムに流入した高温の空気を、回転ドラムの外部へ強制排気させる。また、回転ドラムの後面パネルには吸気ダクトと連通する空気流入部が設けられて熱風の流入を案内する。
【０００５】
通常の衣類乾燥機では、特許文献１に開示されているように、回転ドラムの空気流入部が、回転ドラムの後面パネルの中央において、複数の穴が開けられた平板形態をもって広く配置されている。
【０００６】
このような空気流入部の構造から、回転ドラム内部には直線方向に熱風が供給され、その速力が速くなるため、回転ドラム内部の一部分にのみ熱風が供給され、このため、回転ドラム内部では熱風が至らない死角地帯ができ布との熱伝逹面積が減り、この結果、乾燥効率が劣化してしまう。
【０００７】
また、大きすぎる空気吸入部の面積は、ファンの大型化を招き、騒音の増加、部品材料費及び電力消費の増加につながる、という問題があった。
【０００８】
また、熱風の風速や風量が減少して排気がよくできず、結果として衣類乾燥機の乾燥効率が劣化する、という問題もあった。
【特許文献１】大韓民国公開特許公報第２００１−７３５３９号(図５)
【発明の開示】
【発明が解決しようとする課題】
【０００９】
本発明の目的は、回転ドラムの後面パネルに備えられている空気流入部の形状を改善することによって、ファンの大きさを小型に維持しながらも流入する熱風の風量や風速を増大し、熱風が死角地帯無しで回転ドラム内部に均一に供給されるようにし、結果として布との接触面積を増加させて乾燥効率を向上させうる衣類乾燥機を提供することにある。
【課題を解決するための手段】
【００１０】
上記の目的を達成するための本発明による衣類乾燥機は、回転ドラムと、該回転ドラムに熱風を供給する吸気ダクトと、前記回転ドラムに設けられ、前記吸気ダクトと連通する空気流入部と、を備える衣類乾燥機であって、前記空気流入部が、熱風を放射状に回転ドラムへ迅速に供給するように構成されたことを特徴とする。
【００１１】
前記空気流入部は、前記ドーム構造に放射状に穿設された複数個の連通穴を有することを特徴とする。
【００１２】
前記空気流入部は、前記吸気ダクトの直径と略同一の直径を有することを特徴とする。
【００１３】
前記吸気ダクトの入口部には、この吸気ダクトに流入する空気を加熱するためのヒーターが取り付けられることを特徴とする。
【００１４】
また、本発明による衣類乾燥機は、前端及び後端を有する回転ドラムと、該回転ドラムに熱風を供給する吸気ダクトと、前記回転ドラムで熱交換された熱風を排気する排気ダクトと、前記回転ドラムに設けられ、前記吸気ダクトと連通する空気流入部と、を備える衣類乾燥機であって、前記空気流入部は、前記回転ドラムの後面パネルの上端において回転ドラムの内部に突出してドーム構造に形成され、前記排気ダクトは、これに対応して前記回転ドラムの前面パネルの下端と連通するように設けられることを特徴とする。
【００１５】
また、本発明は、回転ドラムを使用する衣類乾燥機の空気流入部であって、外部と連通して伝えられる空気をドラムの内部に供給する空気受容部と、前記複数の穴が穿設された、回転ドラムの内部に突出形成される凸面を有する空気伝達部と、を備え、前記受容部から流入した空気は、前記複数個の穴を通してドラムに放射状に伝えられることを特徴とする。
【００１６】
また、本発明は、ドラムを使用する衣類乾燥機の衣類乾燥方法であって、ドラムを回転し、空気を加熱し、この加熱された空気を前記ドラムに伝達し、回転ドラムの内部に突出され、熱風がドラム内に入る複数個の穴が放射状に形成された凸面を有する空気流入口を通してドラム内に前記加熱された空気を放射状に供給することを特徴とする。
【発明の効果】
【００１７】
本発明によれば、回転ドラムの後面パネルに備えられた空気流入部の形状を改善することによって、ファンの大きさを小型に維持しながらも流入する熱風の風量や風速を増大し、且つ、熱風が死角地帯無しで回転ドラム内部に均一に供給されるようにし、布との接触面積を増大させて乾燥効率を向上させることが可能となる。
【発明を実施するための最良の形態】
【００１８】
以下、添付図面を参照しつつ、本発明の好ましい実施形態について詳細に説明する。図面中、同一の構成要素には可能な限り同一の参照符号及び番号を共通使用するものとする。
【００１９】
図１は、本発明の一実施形態に従う衣類乾燥機の概略を示す断面図である。
【００２０】
図１に示すように、本発明による衣類乾燥機は、ハウジング１と、該ハウジング１の内部に設置されて、乾燥する洗濯物が収容される回転ドラム２と、該回転ドラム２の前面開口部を開閉するドア１３と、備える。
【００２１】
前記ハウジング１は、略ボックス形状からなり、前面には、回転ドラム２の内部に乾燥する洗濯物を入れたり、乾燥済みの洗濯物を取り出すように前面パネル９に形成された開口を開閉するドア１３が枢着されている。このハウジング１の後面板１ａには吸気ダクト７へ外部空気を流入させるべく吸気穴(図示せず)が形成されている。
【００２２】
前記回転ドラム２は、前面と後面が開放された円筒形状からなり、開放された前記回転ドラム２の前端と後端にはそれぞれ前面パネル９と後面パネル１０が配置されるが、この前面パネル９と後面パネル１０はこれらに対して前記回転ドラム２が回転可能な状態に回転ドラム２の両端を塞ぐ。前記回転ドラム２は、通常、洗濯物を熱風により乾燥する点に鑑みてステンレス鋼などの材質からなる。
【００２３】
また、前記回転ドラム２は、低速で回転して洗濯物を乾燥する構造を有し、このために、駆動装置３と駆動モーター４を備える。該駆動装置３は、前記駆動モーター４の軸(図示せず)に結合され、ベルト６とプーリ５とからなる。このベルト６は、前記駆動モーター４の軸に結合されたプーリ５と前記回転ドラム６とを連結して前記駆動モーター４の駆動力が回転ドラムに伝えられるようにする。ここでは、特定のベルト駆動配列について示したが、これ以外の駆動配列も可能であることは勿論である。
【００２４】
また、前記前面パネル９と前記後面パネル１０は固定されている一方、前記回転ドラム２は回転することから生じる摩擦を低減するために、これらの部材の間には摩擦低減部材３０が介在されている。
【００２５】
また、前記回転ドラム２の内周面には複数枚のリフター２０が一定間隔で配置され、前記回転ドラム２の回転とともに洗濯物を上部に持ち上げて一定の高さで落下させることによって、洗濯物が均一に乾燥されるようにする。
【００２６】
また、衣類乾燥機は、空気を吸入して加熱し、これを排出する循環過程を通じて洗濯物を乾かす装置であって、これらの過程のために、吸気ダクト７、ヒーター１１、及び排気ダクト８が備えられる。
【００２７】
前記吸気ダクト７は、その入口部が開放され、その出口部が後面パネル１０に繋がっており、また、内部には流入する空気を加熱するためのヒーター１１が取り付けられる。このヒーターは、主として、電熱線やセラミックで包まれた電熱線などからなり、本実施の形態では、前記吸気ダクト７の入口部に設けられている。
【００２８】
前記排気ダクト８は、その入口部が前記前面パネル９と連通して設けられ、その出口部は開放された状態で前記ハウジング１の外部に延長形成される。この排気ダクト８の内部には排気ファン１２が設置され、これにより、空気は、ハウジング１の外部から吸気ダクト７を通して回転ドラム２に流入した後に、排気ダクト８を介してハウジング１の外部へ強制排出される。このとき、前記排気ファン１２は前記回転ドラム２と共に前記駆動モーター４により回転する。
【００２９】
前記空気流入部１０ａは、前記吸気ダクト７と連通し、前記回転ドラム２の内部へ突出したドーム(Dome)構造となっている。この空気流入部１０ａの表面には、複数個の連通穴１０ｂが放射状に設けられており、前記空気流入部１０ａの直径は前記吸気ダクト７の出口部の直径と略同一である。
【００３０】
空気流入部１０ａは、前記後面パネル１０に形成されているが、これは後面パネル１０と一体形成されてもよく、別途形成されて前記後面パネル１０に取り付けられてもいい。しかしながら、前記後面パネル１０と一体形成するのが、空気抵抗の低減や加工及び材料費節減の側面から有利である。
【００３１】
図２は、図１のＡ部分の拡大断面図であって、本発明による空気流入口の詳細が示されている。
【００３２】
前記空気流入部１０ａは、前述したように、前記回転ドラム２の内側へ突出したドーム(Dome)構造を有する。また、この空気流入部１０ａの直径は、該当の衣類乾燥機のヒーター性能、乾燥効率、吸気及び排気ダクトの大きさなどに基づいて定められるべきである。
【００３３】
また、前記空気流入部１０ａには複数の連通穴１０ｂが形成されるが、これらは熱風を放射状に前記回転ドラム２の内部へ流入させるべき目的を達成するために放射状に形成されることが好ましい。また、この目的に応じて前記連通穴１０ｂの大きさを異ならせるか、配置を不均等にするなど、本発明の思想を外れない範囲内で当業者が容易に実施可能なものなら、本発明の範囲に含まれることは勿論である。
【００３４】
図３は、図１に示した衣類乾燥機の正面図である。
【００３５】
前記ハウジング１の前面上端には、前記衣類乾燥機の乾燥行程を制御するコントロール部１４が備えられているが、ここには、使用者が行程を選択しうる複数個のボタンと進行状況を表示するディスプレイパネルが備えられる。また、前記コントロール部１４の下部には前記ドア１３が配置されている。図３を参照すると、ドア１３、ハウジング内部に配置された回転ドラム１２、この回転ドラム１２と連通して空気を流入させる空気流入口１０ａ、及び内部の空気を排出させる排気ダクト８の入口部が示されている。
【００３６】
前記空気流入部１０ａは主として前記回転ドラム２の後面パネル１０の右側上端に設けられる。この空気流入部１０ａは、どの位置に設けられてもいいが、本発明の実施形態では、前記排気ダクト８が前記回転ドラム２の左側下端において前記前面パネル９と連通して設けられることから、前記空気流入部１０ａから放射状に噴射された熱風が前記回転ドラム２内部を通過しつつより広い空間に亘って洗濯物と熱交換可能なように、前記排気ダクト８と対角線上に配置されている。
【００３７】
また、前記空気流入部１０ａは、前記回転ドラム２の後面パネル１０の左側上端に位置してもいいが、この場合には前記排気ダクト８を前記回転ドラム３の右側下端に配置させるといい。前記空気流入部１０ａは、前記回転ドラム２が回転するので前記後面パネル１０上端の左側及び右側のいずれの位置に配置しても構わない。
【００３８】
次に、本実施形態による空気流入部１０ａを備えた衣類乾燥機の動作について詳細に説明する。
【００３９】
乾燥する洗濯物を前記回転ドラム２に入れ前記ドア１３を閉じた後に、前記駆動モーター４、前記排気ファン１２、及び前記ヒーター１１を作動させると、前記回転ドラム２が低速回転すると同時に、前記ハウジング１の外部から前記吸気ダクト７へ空気が流入する。
【００４０】
続いて、回転ドラム２の回転によって前記リフター２０は洗濯物を回転ドラム２の上部に持ち上げて落下させるし、前記吸気ダクト７に流入した空気は前記ヒーター１１にて加熱されて前記後面パネル１０の前記空気流入部１０ａの連通穴１０ｂを通して前記回転ドラム２０へ供給される。
【００４１】
すなわち、外気は、前記吸気ダクト８を通過しつつ前記ヒーター１１で加熱されて自体的な上昇力と前記排気ファン１２の送風力により前記吸気ダクト８の上端へ移動し、引き続き前記空気流入部１０ａの前記連通穴１０ｂから前記回転ドラム２の内部へ流入する。
【００４２】
このとき、熱風は、前記連通穴１０ｂを通過して前記回転ドラム２の内部へ放射状に均一に供給されるが、前記回転ドラム２が回転することから、前記リフター２０により上昇して落下する洗濯物のみならず、底部にある洗濯物にも供給される。
【００４３】
このように洗濯物に供給された熱風は、洗濯物との熱交換により低温多湿の状態となるために前記回転ドラム２の下部に分布することになり、前記排気ファン１２の送風力により前記排気ダクト８を通過して衣類乾燥機の外部へ排出される。上述したように、熱風は、回転ドラム内部へ直線方向にも進行し、また、前記連通穴１０ｂを通して放射方向にも進行するので、ある特定箇所に局限して伝えられず、前記回転ドラム２内部に均一に伝えられるのである。
【図面の簡単な説明】
【００４４】
【図１】本発明の一実施形態に従う衣類乾燥機の概略を示す断面図である。
【図２】図１のＡ部分の拡大断面図であって、本発明に適用される空気流入口を詳細に示すものである。
【図３】図１の衣類乾燥機の正面図である。
【符号の説明】
【００４５】
１  ハウジング
１ａ  後面板
２  回転ドラム
３  駆動装置
４  駆動モーター
５  プーリ
６  ベルト
７  吸気ダクト
８  排気ダクト
９  前面パネル
１０  後面パネル
１０ａ  空気流入部
１０ｂ  連通穴
１１  ヒーター
１２  排気ファン
１３  ドア
１４  コントロール部
２０  リフター
【図１】
2005205179.tif 000003
【図２】
2005205179.tif 000004
【図３】
2005205179.tif 000005